(57)【要約】【課題】安全な通話相手先からの被共有データ受信、或いは安全な通話相手先への被共有データの送信のみを自動的に許可できるようにすること。【解決手段】通話相手先のテレビ電話装置１００’との間で被共有データ４２１の送受信を行うテレビ電話装置１００において、被共有データ４２１の受信要求又は送信要求を受信した際に、受信要求又は送信要求が所定条件を満たしているか否か、具体的には、通話相手先が記憶部１７０に記憶された被共有データの送受信を許可する通話相手先か否かを判定し、この条件を満たしている場合にのみ被共有データ４２１を通話相手先から受信又は通話相手先に向けて送信する通信制御手段１１１を備える。【選択図】図３
2013115638.tif 000002
【特許請求の範囲】
【請求項１】
通話相手先との間で被共有データの送受信を行うテレビ電話装置において、前記被共有データの受信要求又は送信要求を受信した際に、前記受信要求又は送信要求が所定条件を満たしているか否かを判定し、前記所定条件を満たしている場合にのみ前記被共有データを前記通話相手先から受信又は前記通話相手先に向けて送信する通信制御手段を備えることを特徴とするテレビ電話装置。
【請求項２】
前記テレビ電話装置が前記被共有データの送受信を許可する通話相手先を記憶した記憶部を備え、前記通信制御手段は、前記所定条件として前記受信要求又は送信要求を送信してきた通話相手先が前記被共有データの送受信を許可する通話相手先である場合にのみ前記被共有データを前記通話相手先から受信又は前記通話相手先に向けて送信することを特徴とする請求項１に記載のテレビ電話装置。
【請求項３】
前記テレビ電話装置が通話相手先を前記記憶部に登録する登録手段をさらに備え、前記登録手段が、前記通信制御手段によって前記被共有データを受信又は送信した通話相手先を、前記被共有データの送受信を許可する通話相手先として登録することを特徴とする請求項２に記載のテレビ電話装置。
【請求項４】
前記通信制御手段が、前記所定条件として前記被共有データの受信要求又は送信要求を送信してきた通話相手先が課金側である場合にのみ前記被共有データを前記通話相手先から受信又は前記通話相手先に向けて送信することを特徴とする請求項１〜３のいずれかに記載のテレビ電話装置。
【請求項５】
前記通信制御手段は、前記被共有データの受信要求又は送信要求が前記所定条件を満たしていない場合に、前記被共有データの受信又は送信を許可するか否かをユーザに対して確認することを特徴とする請求項１〜４のいずれかに記載のテレビ電話装置。
【請求項６】
前記通信制御手段は、同一通話中において一旦被共有データの送受信が許可された場合には、再度被共有データの受信要求又は送信要求を受信した際には、前記被共有データを前記通話相手先から受信又は前記通話相手先に向けて送信することを許可することを特徴とする請求項１〜５のいずれかに記載のテレビ電話装置。
【発明の詳細な説明】
【技術分野】
【０００１】
本発明は、ＩＰ電話網等に接続されて音声及び映像の送受信を行うテレビ電話装置に関し、特に、通話相手先のテレビ電話装置から被共有データの共有要求を受信した場合に、所定条件を満たす通話相手先である場合にのみ被共有データの共有を許可するテレビ電話装置に関する。
【背景技術】
【０００２】
近年、通信インフラの発達に伴い、通信に関する様々な付加サービスが普及するようになってきた。例えば、電話装置においては、一般電話回線以外に、ＩＰ電話網やインターネット等の広域通信網に接続して、データ通信サービス等の様々なサービスを受けることが可能な電話装置が普及している。
【０００３】
このような電話装置に対するサービスとして、テレビ電話サービスが実用化されている。テレビ電話サービスの利用者は、カメラ機能及び画像送信機能を備えたテレビ電話装置を通信回線に接続することにより、撮影された映像の送受信を行いながら音声通話を行うことが可能である。
【０００４】
こうした撮影映像に加えて、他の画像データを通話相手先に送信可能なテレビ電話装置も開発されている。例えば、下記特許文献１（特開２００４−２２８８０５号公報）は、テレビ電話の通話中に会話に関連する特定の画像データ等を会話と同時進行でマルチタスクによってネットワーク等を介して取得し、その画像データを通話中の相手局に送信することが可能なテレビ電話機能を開示している。
【０００５】
上記の機能は、テレビ電話機能手段と、データ通信機能手段と、マルチアクセス機能手段と、を備えることで達成される。テレビ電話機能手段は、通話中に撮像部により撮影された映像をテレビ電話機能手段によって相手局に送信するとともに相手局から送信された映像を受信し表示部に出力する。また、データ通信機能手段は所定のホームページ等に接続し文字や画像の表示情報を取得するデータ通信を行う。マルチアクセス機能手段は、テレビ電話機能手段とデータ通信機能手段とを同時に稼動させるためのものである。データ通信によって取得された表示情報は、映像、音声とともに、相手局に送信され、相手局において表示される。
【０００６】
しかし、下記特許文献１の発明においては、通話相手先から受信した画像等のデータを参照することはできても編集、加工して元の通話相手先に返信することはできなかった。そこで、本発明の出願人等は、先に特願２０１０−２９２２６６号公報として「テレビ電話装置」の発明を出願した。この発明においては、テレビ電話装置が、受信した画像等のデータを編集、加工する画像編集手段を備えている。これによって、通話中に受信した画像等のデータを編集、加工し、それを返信することができ、結果として通話者同士はさらに十分な意思の疎通が可能となり、明確で誤りの少ない会話を行うことが可能となった。
【０００７】
ところで、下記特許文献２（特開２００４−３２８５２５号公報）には、通話相手先から音声メッセージを主装置において受信すると、これをテキストデータに変換し、ユーザが使用する端末装置にポップアップ表示し、ユーザがポップアップ表示されたメッセージを選択する等するとメッセージの発信元にコールバックして接続するＩＰ電話システムが開示されている。
【先行技術文献】
【特許文献】
【０００８】
【特許文献１】特開２００４−２２８８０５号公報
【特許文献２】特開２００４−３２８５２５号公報
【発明の概要】
【発明が解決しようとする課題】
【０００９】
従来のテレビ電話装置においては、上記特許文献１の発明や本出願人による上記発明のように、画像データ等の被共有データを受信する際に、全ての被共有データを自動的に受信するため、安全上問題のあるデータを受信してしまう可能性があり、テレビ電話装置そのものやそこに記憶されている個人データ等を危険にさらしてしまうという問題点があった。
【００１０】
一方、上記特許文献２の発明のように、送受信の要求がある度にユーザに確認操作を求めることは、操作が煩雑になるという問題があった。
【００１１】
そこで、本発明の目的は、テレビ電話装置において、安全上問題のある被共有データを受信したり、外部に流出しては困る被共有データを送信したりしてしまうことがないように、安全な通話相手先からの被共有データ受信、或いは安全な通話相手先への被共有データの送信のみを自動的に許可できるようにすることによって、煩雑な操作を不要にすると同時に安全性を向上させ、利便性を高めることにある。
【課題を解決するための手段】
【００１２】
上記課題を解決するために本発明のテレビ電話装置は、通話相手先との間で被共有データの送受信を行うテレビ電話装置において、前記被共有データの受信要求又は送信要求を受信した際に、前記受信要求又は送信要求が所定条件を満たしているか否かを判定し、前記所定条件を満たしている場合にのみ前記被共有データを前記通話相手先から受信又は前記通話相手先に向けて送信する通信制御手段を備えることを特徴とする。
【００１３】
また、本発明のテレビ電話装置の一態様は、前記テレビ電話装置が前記被共有データの送受信を許可する通話相手先を記憶した記憶部を備え、前記通信制御手段は、前記所定条件として前記受信要求又は送信要求を送信してきた通話相手先が前記被共有データの送受信を許可する通話相手先である場合にのみ前記被共有データを前記通話相手先から受信又は前記通話相手先に向けて送信することを特徴とする。
【００１４】
また、本発明のテレビ電話装置の一態様は、前記テレビ電話装置が通話相手先を前記記憶部に登録する登録手段をさらに備え、前記登録手段が、前記通信制御手段によって前記被共有データを受信又は送信した通話相手先を、前記被共有データの送受信を許可する通話相手先として登録することを特徴とする。
【００１５】
また、本発明のテレビ電話装置の一態様は、前記通信制御手段が、前記所定条件として前記被共有データの受信要求又は送信要求を送信してきた通話相手先が課金側である場合にのみ前記被共有データを前記通話相手先から受信又は前記通話相手先に向けて送信することを特徴とする。
【００１６】
また、本発明のテレビ電話装置の一態様は、前記通信制御手段は、前記被共有データの受信要求又は送信要求が前記所定条件を満たしていない場合に、前記被共有データの受信又は送信を許可するか否かをユーザに対して確認することを特徴とする。
【００１７】
また、本発明の前記通信制御手段は、同一通話中において一旦被共有データの送受信が許可された場合には、再度被共有データの受信要求又は送信要求を受信した際には、前記
被共有データを前記通話相手先から受信又は前記通話相手先に向けて送信することを許可することを特徴とする。
【発明の効果】
【００１８】
本発明は、以下に説明する優れた効果を発揮する。すなわち、本発明のテレビ電話装置によれば、被共有データの受信要求又は送信要求を受信した際に、その受信要求又は送信要求が所定の条件を満たしているか否かを通信制御手段によって判定する。そして、所定の条件を満たしている場合に被共有データを通話相手先から受信したり、通話相手先に向けて送信したりする。それにより、送受信要求に対して、所定条件を満たした安全な要求のみに選択的に応答できるようになる。また、所定条件を満たした要求に対してユーザは何らかの操作を行うことによって確認入力を行う必要がなく、煩雑な操作を省略できる。
【００１９】
さらに、本発明のテレビ電話装置の一態様によれば、記憶部に記憶された被共有データの送受信を許可する通話相手先からの受信要求又は送信要求である場合にのみ被共有データを通話相手先から受信したり、通話相手先に向けて送信したりする。これにより、被共有データの送受信を許可する通話相手先を登録するだけで、登録ユーザからの被共有データの送受信を自動的に許可でき、安全性と利便性を高めることができる。
【００２０】
さらに、本発明のテレビ電話装置の一態様によれば、登録手段が通信制御手段によって被共有データを受信又は送信した通話相手先を、被共有データの送受信を許可する通話相手先として記憶部に登録する。これによって、以前に被共有データの送受信を許可したことがある通話相手先から被共有データの送受信要求があった場合、被共有データの送受信を自動的に許可することができ、ユーザが何らかの操作を行うことによって確認入力を行うといった煩雑な操作を省くことが可能となる。
【００２１】
さらに、本発明のテレビ電話装置の一態様によれば、被共有データの受信要求又は送信要求を送信してきた通話相手先が課金側である場合にのみこれに応えて被共有データを通話相手先から受信又は通話相手先に向けて送信する。これによって、ユーザの許可がないにもかかわらず被共有データを送受信することによって課金されてしまうことを防止できる。
【００２２】
さらに、本発明のテレビ電話装置の一態様によれば、被共有データの受信要求又は送信要求が所定条件を満たしていない場合には被共有データの受信又は送信を許可するか否かをユーザに対して確認する。これによって、安全上問題のある可能性がある場合や、課金上不都合が生じるような被共有データの送受信に対してはユーザの許可を求めることができるので、安全性を向上させるとともに、本当に必要なときにのみユーザの確認入力を求めることができ、煩雑な操作を最小限にとどめることができる。
【００２３】
さらに、本発明のテレビ電話装置の一態様によれば、通話中に一旦被共有データの送受信が許可されると、再度送受信の要求があった場合には、ユーザに対して確認入力を求めることなく被共有データの送受信を自動的に許可する。これによって、安全性を向上させると同時に煩雑な操作を最小限にとどめることが可能となる。
【図面の簡単な説明】
【００２４】
【図１】本発明のテレビ電話装置を含む通信システム１の構成を示すブロック図である。
【図２】本実施例に係るテレビ電話装置の構成を示す内部ブロック図である。
【図３】本発明の実施例に係る被共有データの共有処理における動作を示すフローチャートである。
【図４】実施例に係るテレビ電話装置において、ユーザ側のテレビ電話装置と、通話相手先が使用するテレビ電話装置の、通話開始時の表示画面である。
【図５】図４のテレビ電話装置の表示画面であって、通話相手先のテレビ電話装置において、画像データの編集画面が表示された状態を示す図である。
【図６】図４のテレビ電話装置の表示画面であって、通話相手先のテレビ電話装置とユーザ側のテレビ電話装置において画像データが共有された状態を示す図である。
【図７】図７（ａ）はユーザ側のテレビ電話装置の表示画面であって、通話相手先のテレビ電話装置から共有要求を受信した際に問合せ画面が表示された図であり、図７（ｂ）は通話相手先のテレビ電話装置の表示画面であって、ユーザ側のテレビ電話装置において共有要求が拒否された場合の表示画面の一例を示す図である。
【発明を実施するための形態】
【００２５】
以下、本願発明を実施するための最良の形態を実施例及び図面を参照して詳細に説明する。ただし、以下に示す実施例は、本発明の技術思想を具体化するためのテレビ電話装置を例示して説明するものであって、本発明をこのテレビ電話装置に特定することを意図するものではなく特許請求の範囲に示した技術思想を逸脱することなくその他のテレビ電話装置にも等しく適用し得るものである。
【実施例】
【００２６】
図１は、本発明のテレビ電話装置を含む通信システム１の構成を示すブロック図である。本システムは少なくとも、テレビ電話装置１００、有線ＬＡＮ１０１、ＩＰ電話ルータ１０２、ブロードバンドルータ１０３、ゲートウェイ１０４、ＩＰ電話網１０５、インターネット１０６、ＰＳＴＮ網１０７（＝Public Switched Telephone Network：公衆電話交換網）、及び加入者電話装置１０８を含むように構成されている。
【００２７】
本発明のテレビ電話装置１００は有線ＬＡＮ１０１に接続され、有線ＬＡＮ１０１は、ＩＰ電話ルータ１０２を介してＩＰ電話網１０５に、ブロードバンドルータ１０３を介してインターネット１０６に、ゲートウェイ１０４を介してＰＳＴＮ網１０７にそれぞれ接続されることにより、通信が可能である。なお、テレビ電話装置１の内部構造の詳細については後述する。
【００２８】
有線ＬＡＮ１０１を構成する物理的な手段としては、例えばツイストペアケーブルを用いた１０ＢＡＳＥ−Ｔ（ＩＥＥＥ８０２．３ｉとして標準化）や１００ＢＡＳＥ−ＴＸ（ＩＥＥＥ８０２．３ｕとして標準化）等があげられる。
【００２９】
ＩＰ電話ルータ１０２、及びブロードバンドルータ１０３は、複数のＩＰネットワークを相互接続するためのネットワーク中継装置である。具体的には、ＯＳＩ（Open Systems
Interconnection）参照モデルでいうネットワーク層（第３層）やトランスポート層（第４層）の一部のプロトコルを解析して転送を行う。
【００３０】
本実例では、ＩＰ電話ルータ１０２は有線ＬＡＮ１０１とＩＰ電話網１０５との二つのＩＰネットワークを相互に接続する役割を持つ。またブロードバンドルータ１０３は、有線ＬＡＮ１０１とインターネット１０６との二つのＩＰネットワークを相互に接続する役割を持つ。
【００３１】
ゲートウェイ１０４は、プロトコル体系が異なるネットワーク間を相互接続するためのプロトコル変換器である。ゲートウェイ１０４は、例えば、有線ＬＡＮ１０１とＰＳＴＮ網１０７とを接続し、ＳＩＰ等のシグナリングプロトコルを用いてシグナル変換を行うことにより、両ネットワーク間での通信を可能とする。
【００３２】
ＩＰ電話網１０５は、電話網の一部もしくは全てにＶｏＩＰ（Voice over Internet Pr
otocol）技術を利用した通信網であり、用いる通信回線としてはＦＴＴＨ（Fiber To The
Home）やＡＤＳＬ（Asymmetric Digital Subscriber Line）等の、いわゆるブロードバンド回線が利用される。なお、ＩＰ電話網１０５にはテレビ電話装置１００’が複数接続されているが、図１では簡単のため１台のみしか図示していない。
【００３３】
なおＶｏＩＰとは、音声を各種符号化方式で圧縮した後にパケットに分割し、ＩＰネットワークでリアルタイム伝送する技術である。これによりＩＰ電話網１０５は音声通話サービスの他、画像の送受信を行うテレビ電話サービス等が提供可能となる。
【００３４】
インターネット１０６は、通信プロトコルによるネットワークを相互接続して構築された広域通信網である。大小様々なコンピュータネットワークを相互に連結させて、国際的な通信ネットワークが構築されている。通信プロトコルとしては主に、ＴＣＰ／ＩＰが標準的なプロトコルとして採用されている。
【００３５】
ＰＳＴＮ網１０７は、一般の加入者電話回線ネットワークである。末端に加入者電話装置１０８を接続し、回線交換方式で通信相手に接続して音声通話を行うのに用いられる。加入者電話装置１０８は、電話加入者がＰＳＴＮ網１０７を用いてＰＳＴＮ網に接続された他の加入者電話装置や有線ＬＡＮ１０１やＩＰ電話網１０５に接続されたテレビ電話装置と音声通話を行うための電話装置である。
【００３６】
次に、図２を参照して本実施例のテレビ電話装置１００について説明する。なお、図２は本実施例に係るテレビ電話装置１００の構成を示す内部ブロック図である。テレビ電話装置１００は、制御部１１０、マイク１２０、スピーカ１３０、カメラ１４０、表示部１５０、入力部１６０、記憶部１７０を備えて構成される。
【００３７】
制御部１１０は、ＣＰＵ、ＲＡＭ、ＲＯＭを備えて構成されるマイクロプロセッサであり、ＲＡＭやＲＯＭに記憶された制御プログラムをＣＰＵにおいて実行することにより、以下に説明する各手段の動作を制御・統括する。
【００３８】
制御部１１０は、通信制御手段１１１、音声信号処理手段１１２、画像・映像信号処理手段１１３、表示制御手段１１４、画像編集手段１１５、データ制御手段１１６、登録手段１１７を備えて構成される。
【００３９】
通信制御手段１１１は、テレビ電話装置１００が他のテレビ電話装置（図１では、テレビ電話装置１００’）と通信を行う際の通信制御を行うためのものである。これには、シグナリング、データの送受信、データ共有処理に関わる制御が含まれる。
【００４０】
シグナリングには通信セッションの生成、確立、切断が含まれる。具体的には、ユーザが入力部１６０を操作して電話番号等を入力した際に、ＩＰ電話網１０５に接続されたＳＩＰサーバ（図示せず）等に接続して通話相手先のテレビ電話装置１００’の位置情報を入手するとともに、通話相手先のテレビ電話装置１００’を呼出し、通話相手先が応答した場合に通信経路を確立することと、通話が終了した際にセッション切断メッセージ等を送信することによってセッションを終了することが含まれる。
【００４１】
データの送受信に関わる制御には、音声データ、映像データ、画像データをパケットに分割するＩＰパケット化と及びＩＰパケットの送信、有線ＬＡＮ１０１を介して受信したパケットを、正しい順序に並べ替えるとともに実際のデータ部分を抽出して組立てるＩＰパケットの受信及び組立てとが含まれる。
【００４２】
データをパケットとして送信する際には、所定データ長に分割された各データに送信元
、宛先、順序、送信時刻、用途（ＩＰ電話の音声データ、映像データ、画像データ）を示すヘッダを付加する。また、受信したパケットは、ヘッダ部分を参照することによって、音声、映像、画像ごとに正しい順序で組立てられてゆき、音声信号処理手段１１２、画像・映像信号処理手段１１３に出力される。
【００４３】
データの共有処理に関わる制御には、ユーザの指示に基づいて通話相手先のテレビ電話装置１００’に共有要求を通知すること、つまり、被共有データを通話相手先のテレビ電話装置１００’に送信したいときにはテレビ電話装置１００’に対して被共有データの受信要求を送信し、被共有データを通話相手先テレビ電話装置１００’から送信してもらいたいときにはテレビ電話装置１００’に対して被共有データの送信要求を送信する。
【００４４】
また、通話相手先のテレビ電話装置１００’から共有要求を受信した際には、この共有要求が所定条件を満たしているか否かを判定し、所定条件を満たしている場合にのみ共有を許可する、つまり通話相手先のテレビ電話装置１００’からの被共有データの受信、或いはテレビ電話装置１００’に対する被共有データの送信を許可する。
【００４５】
音声信号処理手段１１２は、マイク１２０から入力された音声をＡ／Ｄ変換し、次いで音声コーデックによって圧縮し、圧縮されたデータを通信制御手段１１１に出力する。また、通信制御手段１１１において組立てられた音声データを音声コーデックによって伸張し、次いでＤ／Ａ変換してスピーカ１３０から出力する。
【００４６】
画像・映像信号処理手段１１３は、映像コーデックを備えており、カメラ１４０において撮影された映像を圧縮し、圧縮されたデータを通信制御手段１１１に出力する。また、通信制御手段１１１において組立てられた映像データを伸張し、表示制御手段１１４に出力する。また、画像・映像信号処理手段１１３は、画像コーデックを備えており、通信制御手段１１１において組立てられた画像データを伸張し、メモリ（制御部１１０のＲＡＭ）に展開する。
【００４７】
表示制御手段１１４は、カメラ１４０及び画像・映像信号処理手段１１３から出力された映像データ及びメモリ（制御部１１０のＲＡＭ）に展開された画像データを表示部１５０に表示可能な所定の態様に変換（拡大、縮小、画像を並べて配置する等）して表示部１５０のビデオメモリ（図示せず）上に展開し、表示部１５０に表示させるものである。
【００４８】
例えば、表示制御手段１１４は、表示部１５０の表示画面を、図４に示すように上下に２分割し、上側にはカメラ１４０で撮影した映像と通話相手先から送信されてきた映像とを表示部１５０に並べて表示させ、下側には共有するデータを表示する領域を設ける。なお、この表示の方法は、上記に限られず、種々の態様に従うようにしてもよい。
【００４９】
画像編集手段１１５は、入力部１６０の操作に従って画像データを編集するものである。画像データの編集には、線を描画したり、文字を挿入したり、手書き入力したり、図形を挿入したりすることが含まれる。
【００５０】
データ制御手段１１６は、通信制御手段１１１の受信データを監視することによって通話相手先のテレビ電話装置１００’から画像を受信したことを判定し、画像データを受信した場合には、その画像データをメモリ（制御部１１０のＲＡＭ）に展開したり、記憶部１７０から画像データを取込んでメモリ（制御部１１０のＲＡＭ）に展開したり、被共有データの送信要求に応えてメモリ（制御部１１０のＲＡＭ）に展開されている画像データを、通信制御手段１１１を介して通話相手先或いはインターネット１０６に接続されたサーバに送信したり、テレビ電話装置１００にプリンタが接続されている場合にはプリンタへの出力指示を行ったり、記憶部１７０への保存を行ったりする。
【００５１】
登録手段１１７は、記憶部１７０に記憶されたアドレス帳に通話相手先の電話番号や氏名、共有データの共有可否情報を関連付けて記憶させる。さらに、被共有データの送受信を行った場合には、共有可否情報として「共有不可能」から「共有可能」な通話相手先に設定を書き換えて記憶させるようにしてもよい。
【００５２】
マイク１２０において集音された音声は、音声信号に変換され、音声信号処理手段１１２に出力される。また、音声信号処理手段１１２から出力された音声信号はスピーカ１３０において音声に変換され出力される。マイク１２０とスピーカ１３０は、テレビ電話装置１００に固定的に設けられていてもよいが、ヘッドセットであってもよい。ヘッドセットであれば、手でマイク１２０を持たなくてよいので、利便性が高まる。
【００５３】
カメラ１４０は、テレビ電話装置１００の通話中にその前にある被写体を撮影するためのものである。通常、テレビ電話装置１００の正面にはユーザが位置することになるので、カメラ１４０においてはユーザが被写体として撮影される。撮影された映像は、画像・映像信号処理手段１１３に出力される。
【００５４】
表示部１５０は液晶ディスプレイユニットであり、表示制御手段１１４によって表示部１５０のビデオメモリ上に展開された映像や画像を表示する。
【００５５】
入力部１６０は、表示部１５０に一体に形成されたタッチパネルの形をとる。ユーザは表示部１５０に表示された入力用のアイコンの部位に接触することで入力操作を行う。例えば、電話をかける場合に、入力部１６０に電話番号を入力するためのテンキーを表示し、ユーザはそのテンキーの該当する部分を指で押すことにより、番号を入力することができる。なお、入力部１６０は、上記に限られず、テレビ電話装置１００を構成する筐体の一部分に形成されたキーやボタンであってもよい。
【００５６】
記憶部１７０は、テレビ電話装置１００に内蔵されたメモリ、或いはフラッシュメモリのように接続／取外しが可能なメモリで構成される。記憶部１７０は、画像データ、テキストデータ、ブラウザ情報等のデータを記憶している。これらのデータは、ユーザの指示があった場合に、被共有データとして、通話相手先のテレビ電話装置１００’或いは、インターネット１０６に接続されたサーバに送信される。また、通話相手先のテレビ電話装置１００’から送信されてきた被共有データやインターネット１０６に接続されたサーバから取得した被共有データを保存する。
【００５７】
さらに、記憶部１７０には、複数の通話相手先の電話番号、氏名、共有データの共有可否情報を関連付けたアドレス帳が記憶される。共有可否情報は、登録手段１１７によってユーザが予め設定するものであってもよいし、「共有不可能」な通話相手先として登録されていても、一度共有を許可した場合には「共有可能」な通話相手先として設定が変更されるようにしてもよい。
【００５８】
ここで、データの共有とは、画像データ、メモ帳等のテキストデータ、ブラウザ等のアプリケーション情報（以下、被共有データという）を通話相手先のテレビ電話装置１００’に送信し、テレビ電話装置１００’において被共有データを受信すること、或いは、通話相手先のテレビ電話装置１００’から送信されてきた上記の被共有データをテレビ電話装置１００において受信することによって、ユーザが使用するテレビ電話装置１００においても通話相手先のテレビ電話装置１００’においても同様の画像データ、テキストデータ、アプリケーションを、表示部１５０において参照できる状態のことをいう。
【００５９】
さらに、データの共有には、テレビ電話装置１００と通話相手先のテレビ電話装置１０
０’の一対一の通信における被共有データの送受信に加えて、インターネット１０６に接続されたサーバを介して被共有データを送受信、或いは操作するようなものも含まれる。例えば、テレビ電話装置１００からインターネット１０６に接続されたサーバに被共有データを送信して被共有データを保存し、通話相手先のテレビ電話装置１００’から上述のサーバにアクセスすることによって被共有データを受信、或いは操作できるようにするようにしてもよい。さらには、通話相手先のテレビ電話装置１００’から上述のサーバに送信された被共有データをこちらのテレビ電話装置１００からアクセスして受信或いは操作できるようにすることによって共有するようにしてもよい。
【００６０】
また、共有要求とは、テレビ電話装置１００の記憶部１７０にある被共有データ、或いは制御部のＲＡＭ等に一時的に記憶されている被共有データを通話相手先のテレビ電話装置１００’に送信する際に、通話相手先のテレビ電話装置１００’に対して被共有データの受信要求を送信することをいう。また、被共有データが通話相手先のテレビ電話装置１００’にあって、この被共有データをテレビ電話装置１００に送信してほしい旨（送信要求）を通話相手先のテレビ電話装置１００’に対して送信することをいう。
【００６１】
さらに、共有要求には、インターネット１０６に接続されたサーバ（図示せず）を介してデータの共有を行う場合、テレビ電話装置１００にある被共有データをサーバに送信すると共に、通話相手先のテレビ電話装置１００’に対して被共有データの受信要求を送信することが含まれる。
【００６２】
また、共有要求には、被共有データが通話相手先のテレビ電話装置１００’にあって、この被共有データをインターネット１０６に接続されたサーバに送信するよう通話相手先のテレビ電話装置１００’に対して要求することも含まれる。
【００６３】
次に、図３〜図７を参照して、本実施例のテレビ電話装置１００における被共有データの共有処理について説明する。なお、図３は、本発明の実施例に係る被共有データの共有処理における動作を示すフローチャートである。図４〜図７は、実施例に係るテレビ電話装置１００において、ユーザ側のテレビ電話装置１００の表示画面と、通話相手先が使用するテレビ電話装置１００’の表示画面を示す図である。
【００６４】
ステップＳ３０１において、ユーザがテレビ電話装置１００の入力部１６０を操作してＩＰ電話網１０５に接続された通話相手先のテレビ電話装置１００’の電話番号を入力する。或いは、ユーザは入力部１６０を操作して記憶部１７０に記憶されたアドレス帳を呼出して通話相手先を選択操作する。すると、通信制御手段１１１は、入力された電話番号、或いは選択された通話相手先の情報に基づいて通話相手先を探し、通話相手先のテレビ電話装置１００’を呼出し、通話相手が応答したならば通信セッションが確立され、通話が開始される。通話の開始は、ユーザ側のテレビ電話装置１００から行ってもよいし、反対に、通話相手先のテレビ電話装置１００’がユーザ側のテレビ電話装置１００を呼出し、ユーザがその呼出しに応答することで通信セッションが確立し、通話が開始されるようにしてもよい。
【００６５】
ステップＳ３０２において、テレビ電話装置１００と通話相手先のテレビ電話装置１００’との間で音声、映像の送受信が行われる。具体的には、マイク１２０から入力された音声は音声信号処理手段１１２においてＡ／Ｄ変換されてから音声コーデックによって圧縮される。カメラ１４０において撮影された映像は、表示制御手段１１４によって表示部１５０に表示されるとともに、画像・映像信号処理手段１１３が備える映像コーデックによって圧縮される。さらに圧縮された音声データ及び映像データはそれぞれ通信制御手段１１１においてＩＰパケットに分割され、有線ＬＡＮ１０１に送信され、送信された音声データ、及び映像データは、通話相手先のテレビ電話装置１００’において再生、表示さ
れる。
【００６６】
一方、通話相手先のテレビ電話装置１００’からＩＰパケットとして送信されてきた音声データ及び映像データをユーザ側のテレビ電話装置１００において受信すると、通信制御手段１１１はそれぞれＩＰパケットを音声データ、映像データ等種類毎に分け、それぞれ分割されていたパケットから実際のデータ部分を抽出し、順番に組立てる。次いで、音声データは音声信号処理手段１１２の音声コーデックにおいて伸張され、次いでＤ／Ａ変換されてスピーカ１３０に出力され、音声として出力される。また、映像データは画像・映像信号処理手段１１３が備える映像コーデックによって伸張され、表示制御手段１１４に出力され、表示制御手段１１４が表示部１５０に表示可能な態様に編集して表示する。
【００６７】
図４は、本実施例のテレビ電話装置において通話が開始され、音声、映像の送受信を行っている際のユーザ側のテレビ電話装置１００、通話相手先のテレビ電話装置１００’の表示画面４００の一例を示している。なお、ユーザ側のテレビ電話装置１００の表示画面は図４（ａ）に示され、通話相手先のテレビ電話装置１００’表示画面は図４（ｂ）に示されている。
【００６８】
表示画面は、映像領域４１０と共有データ表示領域４２０とから構成される。図４においては、映像領域４１０は表示画面４００の上方に設けられ、共有データ領域４２０は表示画面４００の下方に設けられる。なお、これらの領域は図４のように上下方向に分割して設けられてもよいが、左右に分割して設けられるようにしてもよい。
【００６９】
ユーザ側のテレビ電話装置１００の表示画面４００において、映像領域４１０には、ユーザ側のテレビ電話装置１００において撮像された映像を表示する自局映像領域４１１と、通話相手先のテレビ電話装置１００’において撮像された映像を表示する相手局映像領域４１２が設けられる。図４（ａ）では、自局映像領域４１１にはユーザ側のテレビ電話装置１００を使用して通話を行っているユーザの顔が表示され、相手局映像領域４１２には通話相手先のテレビ電話装置１００’を使用して通話を行っている通話相手の顔が表示されている。
【００７０】
一方、図４（ｂ）に示される通話相手先のテレビ電話装置１００’表示画面においては、自局映像領域４１１には、通話相手先のテレビ電話装置１００’を使用する人の顔が表示され、相手局映像領域４１２にはユーザ側のテレビ電話装置１００を使用しているユーザの顔が表示されている。
【００７１】
また、共有データ領域４２０の右側には、各種メニューアイコン４３０が表示される。各種メニューアイコン４３０は、「編集」アイコン４３１、「共有」アイコン４３２、「読込み」又は「保存」アイコン４３３、「印刷」アイコン４３４から構成される。なお、図４（ａ）においては、「編集」アイコン４３１と「印刷」アイコン４３４は共有データが読込まれていないために不要であるから図示されていない。
【００７２】
ステップＳ３０３において、通信制御手段１１１はユーザが入力部１６０の操作に基づいて、或いは通話相手先のテレビ電話装置１００’からのセッション切断通知に基づいて通話を終了するか否かを判定する。通話を終了すると判定された場合には、マイク１２０、スピーカ１３０、カメラ１４０の機能を停止し、通話処理を終了する。
【００７３】
ステップＳ３０３において、通話を終了しないと判定すると、続くステップＳ３０４に進み、通信制御手段１１１が通話相手先のテレビ電話装置１００’から被共有データの共有要求を受信したか否かを判定する。
【００７４】
ステップＳ３０４において通話相手先のテレビ電話装置１００’から被共有データの共有要求を受信しない場合は、ステップＳ３０２の処理に戻り、通話が終了するまで、ステップＳ３０２〜ステップＳ３０４の処理を継続して行う。
【００７５】
図４（ｂ）では、共有データ表示領域４２０に、通話相手がテレビ電話装置１００’に保存されていた画像データ等の被共有データを呼出し、その被共有データが表示された状態が示されている。なお、図４（ｂ）では、被共有データは、地図画像である。
【００７６】
図４（ｂ）において通話相手が「編集」アイコン４３１を選択すると、図５（ｂ）に示すような画像データの編集画面が表示される。編集画面は、図４の場合と同様に右上方に設けられる相手局映像領域４１２、上方に表示される画像データ４２１、画面右側に設けられる各種メニューアイコン４３０、下方に表示される編集メニューアイコン５１０から構成される。
【００７７】
編集メニューアイコン５１０は、線を描画するための「線」アイコン、文字を入力するための「文字」アイコン（図６（ｂ）参照）、入力する線や文字の色を変更するための「色」アイコン、フリーハンドで描画を行うための「手書」アイコン、図形を挿入するための「図形」アイコン、全画面表示や分割表示を行うための「ディスプレイ」アイコン（図６（ｂ）参照）等から構成される。
【００７８】
通話相手が図５（ｂ）の編集画面に表示された編集メニューアイコンを選択操作することによって編集方法を選択し、次いで画像データ４２１上に手指で接触することにより、線やフリーハンド図形、図形の描画等を行うと、それに応じて通話相手先のテレビ電話装置１００’の画像編集手段１１５は、それに応じた編集処理を画像データに対して行う。また、「文字」アイコンが選択操作された場合には、キーボード等の入力用アイコンを表示し、ユーザの文字入力を受付ける。
【００７９】
通話相手が図５（ｂ）のように編集を行っている間、図５（ａ）に示すように、ユーザ側のテレビ電話装置１００の表示画面４００の共有データ表示領域４２０には何も表示されていない。
【００８０】
図６（ｂ）に示すように、通話相手が「共有」アイコン４３２を選択すると、通話相手先のテレビ電話装置１００’の通信制御手段１１１は、編集された画像データ等の被共有データの共有要求をユーザ側のテレビ電話装置１００に対して送信する。
【００８１】
ステップＳ３０４において、ユーザ側のテレビ電話装置１００が通話相手先のテレビ電話装置１００’からの被共有データの共有要求を受信したと判定した場合、ステップＳ３０５の処理に進み、ユーザ側のテレビ電話装置１００の通信制御手段１１１は、受信した共有要求が所定条件を満たしているか否かを判定する。この条件としては、通信制御部１１１が記憶部１７０に記憶されたアドレス帳を参照して、通話相手が共有可能な通話相手として登録されている場合、被共有データの共有要求を送信してきた通話相手が課金側である場合である。
【００８２】
さらに、記憶部１７０に記憶されたアドレス帳には、共有したことがあるかないかを示す付加情報を通話相手先に関連付けて記憶しておき、以前に共有したことがある場合には、共有要求が所定条件を満たしていると判定するようにしてもよい。さらに、同一通話中に既に共有要求に応えて被共有データの共有を行った場合には、一旦被共有データの共有を終了した場合でも所定条件を満たしていると判定するようにしてもよい。
【００８３】
ステップＳ３０５において、通話相手先のテレビ電話装置１００’からの被共有データ
の共有要求が所定条件を満たしていると判定された場合、ステップＳ３０８の処理に進み、ユーザ側のテレビ電話装置１００の通信制御手段１１１は、通話相手先のテレビ電話装置１００’からの被共有データの共有要求を許可する旨を通話相手先のテレビ電話装置１００’に送信する。通話相手先のテレビ電話装置１００’はそれに応えて被共有データ、すなわち、本実施例では編集済みの画像データをユーザ側のテレビ電話装置１００に送信し、ユーザ側のテレビ電話装置１００の通信制御手段１１１は画像データを受信し、データ制御手段１１６がその被共有データをメモリに展開し、表示制御手段１１４によって表示部１５０に表示し、ステップＳ３０２の処理に戻る。
【００８４】
なお、このときのユーザ側のテレビ電話装置１００の表示画面を図６（ａ）に示す。図６（ａ）の表示画面４００の共有データ表示領域４２０には、通話相手先のテレビ電話装置１００’から送信されてきた被共有データである編集された画像データ４２１が表示される。
【００８５】
さらに、画面右側の各種メニューアイコン４３０を選択することによって各メニューに対応した画像データに対する処理を呼出して実行することが可能となる。
【００８６】
ステップＳ３０５において、通話相手先のテレビ電話装置１００’からの被共有データの共有データが所定条件を満たしていないと判定された場合、ステップＳ３０６の処理に進み、ユーザ側のテレビ電話装置１００の通信制御手段１１１は被共有データの共有を許可するか否かをユーザに対して問合わせ指示する。これは通信制御手段１１１が表示制御手段１１４に指示を出力して図７（ａ）に示すような問合せ画面７００を表示部１５０に表示することによって行う。
【００８７】
ステップＳ３０７において、通信制御手段１１１はユーザが被共有データの共有を許可したか否かを判定する。これは、ユーザが入力部１６０を操作した際に、被共有データの共有の許可を選択入力したか否かを判断することで行うことができる。ユーザが被共有データの共有を許可したと判定されると、ステップＳ３０８に進み、ユーザ側のテレビ電話装置１００の通信制御手段１１１は、通話相手先のテレビ電話装置１００’からの被共有データの共有要求を許可する旨を通話相手先のテレビ電話装置１００’に送信する。通話相手先の１００’はそれに応えて被共有データ、すなわち、本実施例では編集された画像データをユーザ側のテレビ電話装置１００に送信し、ユーザ側のテレビ電話装置１００の通信制御手段１１１は画像データを受信し、データ制御手段１１６がその被共有データをメモリに展開し、表示制御手段１１４によって表示部１５０に表示し、ステップＳ３０２の処理に戻る。
【００８８】
ステップＳ３０７において、通信制御手段１１１が、ユーザが被共有データの共有を許可しなかったと判定した場合には、ユーザ側のテレビ電話装置１００の通信制御手段１１１は共有を許可しない旨を通話相手先のテレビ電話装置１００’に送信し、ステップＳ３０２の処理に戻る。通話相手先のテレビ電話装置１００’では、その通知を受けて図７（ｂ）に示すような共有を行うことはできない旨を示すメッセージを表示する。なお、図７（ｂ）では、「送信できませんでした」というメッセージが表示される。
【００８９】
上記に説明した通り、本発明は、記憶部に被共有データの共有を許可する相手であるとして登録された通話相手先のテレビ電話装置からの被共有データの共有要求であれば、ユーザに問合せを行うことなく自動的に被共有データをユーザ側のテレビ電話装置において受信する。その一方で、登録されていない通話相手先からの被共有データの共有要求であれば、ユーザに対して共有を許可するか否かの問合せを行う。これにより、予め安全であることが分かっている通話相手先からの被共有データのみを自動的に共有することができる。
【００９０】
また、上記には、通話相手先のテレビ電話装置からユーザ側のテレビ電話装置に対して被共有データを送信する場合を説明したが、被共有データがユーザ側のテレビ電話装置にあって、通話相手先のテレビ電話装置からユーザ側のテレビ電話装置に対して被共有データを送信するように要請する共有要求を行うようにすることも可能である。
【００９１】
さらに、上記には、通話相手先のテレビ電話装置とユーザ側のテレビ電話装置との間で直接被共有データの送受信をする場合について説明したが、本発明はこの実施例に限定されない。例えば、被共有データを図示しないサーバに送信するとともに共有要求信号を通話相手先の浴室テレビ装置に送信し、通話相手先のテレビ装置１０において共有が許可されると、テレビ装置からサーバから被共有データを取得して表示できるようにしてもよい。
【符号の説明】
【００９２】
１００    テレビ電話装置
１０１    有線ＬＡＮ
１０２    ＩＰ電話ルータ
１０３    ブロードバンドルータ
１０４    ゲートウェイ
１０５    ＩＰ電話網
１０６    インターネット
１０７    ＰＳＴＮ網
１０８    加入者電話機
１１０    制御部
１１１    通信制御手段
１１２    音声信号処理手段
１１３    画像・映像信号処理手段
１１４    表示制御手段
１１５    画像編集手段
１１６    データ制御手段
１１７    登録手段
１２０    マイク
１３０    スピーカ
１４０    カメラ
１５０    表示部
１６０    入力部
１７０    記憶部
【図１】
2013115638.tif 000003
【図２】
2013115638.tif 000004
【図３】
2013115638.tif 000005
【図４】
2013115638.tif 000006
【図５】
2013115638.tif 000007
【図６】
2013115638.tif 000008
【図７】
2013115638.tif 000009